(57)【要約】      （修正有）【課題】飲料容器の飲料口の開閉双方の場合においてキャップ体を蓋板に対して容易に係止でき、かつ、飲料口の閉塞状態も万全である飲料容器の蓋を提供する。【解決手段】飲料容器３０の開口部に着脱可能に装着され一端側に飲料口３を設けた蓋体２と、キャップ体２１とを有し、蓋体は、外周部に立設した円形状の周壁部４と、上面平面部５の両側に段差壁６ａをもって画される対称形状の一対の側部平面部６と、を有し、キャップ体は、上面平面部の狭幅部に回動可能に軸結合し、当接片部８と飲料口の外側の周壁部に係合する係合凹部１１を備えた端部突片部１０とを有し、蓋体の狭幅部よりも飲料口側の段差壁６ａ及び端縁部２ａ側の段差壁に設けた係止凹部１４及び前記キャップ体の当接片部８の側壁両側に設けた係止凸部１５からなる係止機構部１３を備える。【選択図】図１
0003137403.tif 000002
【実用新案登録請求の範囲】
【請求項１】
飲料容器の開口部に着脱可能に装着され一端側に飲料口を設けた略円盤状の蓋体と、前記飲料口を閉塞、開口させるキャップ体とを有する飲料容器の蓋であって、
前記蓋体は、
この蓋体の外周部に、前記飲料口とは反対側の端縁部を除いて立設した円形状の周壁部と、
前記蓋体の上面に蓋体中央部が狭幅で、前記飲料口側及び前記周壁部を有しない端縁部が広幅であり、蓋体中央部に関して対称形状の上面平面部と、
前記上面平面部の両側に段差壁をもって画される前記上面平面部を挟んで対称形状の一対の側部平面部と、
を有し、
前記キャップ体は、
前記上面平面部の狭幅部においてその両側の段差壁に基端側を回動可能に軸結合し、前記飲料口を閉塞する閉塞突部を突出端に備えた当接片部と、
前記当接片部の突出端から曲折状態に形成した前記飲料口外側の周壁部に係合するとともに前記端縁部外周に外壁が当接する係合凹部を備えた端部突片部と、
前記端部突片部の末端部に設けた操作突片部と、
を有し、
前記蓋体の狭幅部よりも飲料口側の段差壁及び前記端縁部側の段差壁と、前記キャップ体の当接片部の側壁両側とにわたって対応配置に設けられ、前記キャップ体の閉塞突部による飲料口閉塞時及び前記キャップ体の前記端縁部側への回動時に各々前記キャップ体を蓋体の上面平面部に係止する係止機構部を備えること、
を特徴とする飲料容器の蓋。
【請求項２】
飲料容器の開口部に着脱可能に装着され一端側に飲料口を設けた略円盤状の蓋体と、前記飲料口を閉塞、開口させるキャップ体とを有する飲料容器の蓋であって、
前記蓋体は、
この蓋体の外周部に、前記飲料口とは反対側の端縁部を除いて立設した前記飲料口側が高く前記端縁部側が低い円形状の周壁部と、
前記蓋体の上面に蓋体中央部が狭幅で、前記飲料口側及び前記周壁部を有しない端縁部が広幅であり、蓋体中央部に関して対称形状の上面平面部と、
前記上面平面部の両側に段差壁をもって画される前記上面平面部を挟んで対称形状の一対の側部平面部と、前記上面平面部に貫通形成した空気穴と、
を有し、
前記キャップ体は、
前記上面平面部の狭幅部においてその両側の段差壁に基端側を回動可能に軸結合し、前記飲料口を閉塞する突出寸法が大きい閉塞突部を突出端に備えた当接片部と、
前記当接片部の突出端から曲折状態に形成した前記飲料口外側の周壁部に係合するとともに前記端縁部外周に外壁が当接する係合凹部を備えた端部突片部と、
前記端部突片部の末端部に設けた操作突片部と、
を有し、
前記蓋体の狭幅部よりも飲料口側の対向する段差壁及び前記端縁部側の対向する段差壁に前記キャップ体の軸結合部から等距離で設けた係止凹部と、前記キャップ体の当接片部の側壁両側に前記各係止凹部と対応配置に設けた係止凸部と、からなり、前記キャップ体の閉塞突部による飲料口閉塞時及び前記キャップ体の前記端縁部側への回動時に各々前記キャップ体を蓋体の上面平面部に係止する係止機構部を備えること、
を特徴とする飲料容器の蓋。
【請求項３】
飲料容器の開口部に着脱可能に装着され一端側に飲料口を設けた略円盤状の蓋体と、前記飲料口を閉塞、開口させるキャップ体とを有する飲料容器の蓋であって、
前記蓋体は、
この蓋体の外周部に、前記飲料口とは反対側の端縁部を除いて立設した前記飲料口側が高く前記端縁部側が低い円形状の周壁部と、
前記蓋体の上面に蓋体中央部が狭幅で、前記飲料口側及び前記周壁部を有しない端縁部が広幅であり、蓋体中央部に関して対称形状の上面平面部と、
前記上面平面部の両側に、前記端縁部側で前記周壁部の末端に至るまで形成した段差壁により画される前記上面平面部を挟んで対称形状の一対の側部平面部と、前記上面平面部に貫通形成した空気穴と、
を有し、
前記キャップ体は、
前記上面平面部の狭幅部においてその両側の段差壁に基端側を回動可能に軸結合し、前記飲料口を閉塞する突出寸法が小さい閉塞突部を突出端に備えた当接片部と、
前記当接片部の突出端から曲折状態に形成した前記飲料口外側の周壁部に係合するとともに前記端縁部外周に外壁が当接する係合凹部を備えた端部突片部と、
前記端部突片部の末端部に設けた操作突片部と、
を有し、
前記蓋体の狭幅部よりも飲料口側の対向する段差壁及び前記端縁部側の対向する段差壁に前記キャップ体の軸結合部から等距離で設けた係止凹部と、前記キャップ体の当接片部の側壁両側に前記各係止凹部と対応配置に設けた係止凸部と、からなり、前記キャップ体の閉塞突部による飲料口閉塞時及び前記キャップ体の前記端縁部側への回動時に各々前記キャップ体を蓋体の上面平面部に係止する係止機構部を備えること、
を特徴とする飲料容器の蓋。
【請求項４】
飲料容器の開口部に着脱可能に装着され一端側に飲料口を設けた略円盤状の蓋体と、前記飲料口を閉塞、開口させるキャップ体とを有する飲料容器の蓋であって、
前記蓋体は、
この蓋体の外周部に、前記飲料口とは反対側の端縁部を除いて立設した前記飲料口側が高く前記端縁部側が低い円形状の周壁部と、
前記蓋体の上面に蓋体中央部が狭幅で、前記飲料口側及び前記周壁部を有しない端縁部が広幅であり、蓋体中央部に関して対称形状の上面平面部と、
前記上面平面部の両側に段差壁をもって画される前記上面平面部を挟んで対称形状の一対の側部平面部と、前記上面平面部に貫通形成した空気穴と、
を有し、
前記キャップ体は、
前記上面平面部の狭幅部においてその両側の段差壁に二股形状の基端側を回動可能に軸結合し、前記飲料口を閉塞する閉塞突部を突出端に備えた当接片部と、
前記当接片部の突出端から曲折状態に形成した前記飲料口外側の周壁部に係合するとともに前記端縁部外周に外壁が当接する係合凹部を備えた端部突片部と、
を有し、
前記蓋体の狭幅部よりも飲料口側の対向する段差壁及び前記端縁部側の対向する段差壁に前記キャップ体の軸結合部から等距離で設けた係止凹部と、前記二股形状の基端を有するキャップ体の当接片部の側壁両側に前記各係止凹部と対応配置に設けた係止凸部と、からなり、前記キャップ体の閉塞突部による飲料口閉塞時及び前記キャップ体の前記端縁部側への回動時に各々前記キャップ体を蓋体の上面平面部に係止する係止機構部を備えること、
を特徴とする飲料容器の蓋。
【考案の詳細な説明】
【技術分野】
【０００１】
本考案は、飲料容器の飲料口の開閉双方の場合においてキャップ体を蓋板に対して容易に係止でき、かつ、飲料口の閉塞状態も万全である飲料容器の蓋に関するものである。
【背景技術】
【０００２】
従来、ジュース類、茶類等の各種飲料を収容する飲料容器に対して、蓋を着脱可能に装着し、蓋に設けたキャップを開閉して飲料容器内の飲料を流出可能又は流出停止状態とする飲料容器の蓋が種々提案されている。
【０００３】
例えば、特許文献１には、飲料用の容器本体の上部開口を覆う蓋板部を有する飲料用容器の蓋であって、蓋板部に周壁を立設し、蓋板部の一側の周壁よりに流通穴を設け、蓋板部の上面に開閉キャップを回動可能に配置し、蓋板部の他側に周壁端部に位置して前記開閉キャップを開いたときにこの開閉キャップが係脱可能である切り欠き部を形成した飲料容器の蓋が提案されている。
【０００４】
この特許文献１の場合、一側に流通穴を有する蓋板部の他側に周壁端部に位置して開閉キャップを開いたときにこの開閉キャップが係脱可能である切り欠き部を設けた構成であり、開閉キャップを開いたときにはこの開閉キャップを前記切り欠き部に係止することができる。
【０００５】
他方、特許文献１の場合、開閉キャップを流通穴側に閉じたときに、この開閉キャップを蓋板部に係止る係止突起も備えているが、開閉キャップ自体は流通穴の上面を覆うだけで流通穴近傍の周壁に係合する構成までは有さず、このため、開閉キャップによる流通穴の閉塞機能は必ずしも万全ではない。
【特許文献１】特許第３４４８７５０号公報
【考案の開示】
【考案が解決しようとする課題】
【０００６】
本考案が解決しようとする問題点は、飲料容器に装着してキャップ体により飲料を流出可能又は流出停止状態とする飲料容器の蓋であって、キャップ体を開き飲料を流出可能とする場合、及び、キャップ体を閉じ飲料を流出停止状態とする場合の双方において、キャップ体を蓋板に対して容易に係止でき、かつ、飲料の流出停止状態における飲料口の閉塞状態も万全であるような簡略構成の飲料容器の蓋が存在しない点である。
【課題を解決するための手段】
【０００７】
本考案の飲料容器の蓋は、飲料容器の開口部に着脱可能に装着され一端側に飲料口を設けた略円盤状の蓋体と、前記飲料口を閉塞、開口させるキャップ体とを有する飲料容器の蓋であって、前記蓋体は、この蓋体の外周部に、前記飲料口とは反対側の端縁部を除いて立設した円形状の周壁部と、前記蓋体の上面に蓋体中央部が狭幅で、前記飲料口側及び前記周壁部を有しない端縁部が広幅であり、蓋体中央部に関して対称形状の上面平面部と、前記上面平面部の両側に段差壁をもって画される前記上面平面部を挟んで対称形状の一対の側部平面部と、を有し、前記キャップ体は、前記上面平面部の狭幅部においてその両側の段差壁に基端側を回動可能に軸結合し、前記飲料口を閉塞する閉塞突部を突出端に備えた当接片部と、前記当接片部の突出端から曲折状態に形成した前記飲料口外側の周壁部に係合するとともに前記端縁部外周に外壁が当接する係合凹部を備えた端部突片部と、前記端部突片部の末端部に設けた操作突片部と、を有し、前記蓋体の狭幅部よりも飲料口側の段差壁及び前記端縁部側の段差壁と、前記キャップ体の当接片部の側壁両側とにわたって対応配置に設けられ、前記キャップ体の閉塞突部による飲料口閉塞時及び前記キャップ体の前記端縁部側への回動時に各々前記キャップ体を蓋体の上面平面部に係止する係止機構部を備えること、を最も主要な特徴とする。
【考案の効果】
【０００８】
請求項１記載の考案によれば、キャップ体を開き飲料口を開口して飲料を流出可能とする場合、及び、キャップ体を飲料口側に閉じ、飲料を流出停止状態とする場合の双方において、このキャップ体を蓋体に対して容易に係止でき、かつ、飲料の流出停止状態における飲料口の閉塞状態にも万全を期することができる飲料容器の蓋を提供できる。
【０００９】
請求項２記載の考案によれば、請求項１記載の考案と同様な構成であり、閉塞突部の突出寸法を大きくした構成で、キャップ体を開き飲料口を開口して飲料を流出可能とする場合、及び、キャップ体を飲料口側に閉じ、飲料を流出停止状態とする場合の双方において、このキャップ体を蓋体に対して容易に係止でき、かつ、飲料の流出停止状態における飲料口の閉塞状態にも万全を期することができる飲料容器の蓋を提供できる。
【００１０】
請求項３記載の考案によれば、請求項２記載の考案と同様な構成であり、かつ、閉塞突部の突出寸法を請求項２記載の考案の場合とより小寸法とした構成で、キャップ体を開き飲料口を開口して飲料を流出可能とする場合、及び、キャップ体を飲料口側に閉じ、飲料を流出停止状態とする場合の双方において、このキャップ体を蓋体に対して容易に係止でき、かつ、飲料の流出停止状態における飲料口の閉塞状態にも万全を期することができる飲料容器の蓋を提供できる。
【００１１】
請求項４記載の考案によれば、請求項２記載の考案と略同様な構成であり、かつ、キャップ体の形状を二股形状とするとともに、操作突片部を無くした構成で、キャップ体を開き飲料口を開口して飲料を流出可能とする場合、及び、キャップ体を飲料口側に閉じ、飲料を流出停止状態とする場合の双方において、このキャップ体を蓋体に対して容易に係止でき、かつ、飲料の流出停止状態における飲料口の閉塞状態にも万全を期することができる飲料容器の蓋を提供できる。
【考案を実施するための最良の形態】
【００１２】
本考案は、キャップ体を開き飲料を流出可能とする場合、及び、キャップ体を閉じ飲料を流出停止状態とする場合の双方において、キャップ体を蓋板に対して容易に係止でき、かつ、飲料の流出停止状態における飲料口の閉塞状態も万全である飲料容器の蓋を提供することを目的とするものである。
本考案は、上記目的を、飲料容器の開口部に着脱可能に装着され一端側に飲料口を設けた略円盤状の蓋体と、前記飲料口を閉塞、開口させるキャップ体とを有する飲料容器の蓋であって、前記蓋体は、この蓋体の外周部に、前記飲料口とは反対側の端縁部を除いて立設した前記飲料口側が高く前記端縁部側が低い円形状の周壁部と、前記蓋体の上面に蓋体中央部が狭幅で、前記飲料口側及び前記周壁部を有しない端縁部が広幅であり、蓋体中央部に関して対称形状の上面平面部と、前記上面平面部の両側に段差壁をもって画される前記上面平面部を挟んで対称形状の一対の側部平面部と、前記上面平面部に貫通形成した空気穴と、を有し、前記キャップ体は、前記上面平面部の狭幅部においてその両側の段差壁に基端側を回動可能に軸結合し、前記飲料口を閉塞する突出寸法が大きい閉塞突部を突出端に備えた当接片部と、前記当接片部の突出端から曲折状態に形成した前記飲料口外側の周壁部に係合するとともに前記端縁部外周に外壁が当接する係合凹部を備えた端部突片部と、前記端部突片部の末端部に設けた操作突片部と、を有し、前記蓋体の狭幅部よりも飲料口側の対向する段差壁及び前記端縁部側の対向する段差壁に前記キャップ体の軸結合部から等距離で設けた係止凹部と、前記キャップ体の当接片部の側壁両側に前記各係止凹部と対応配置に設けた係止凸部と、からなり、前記キャップ体の閉塞突部による飲料口閉塞時及び前記キャップ体の前記端縁部側への回動時に各々前記キャップ体を蓋体の上面平面部に係止する係止機構部を備える構成により実現した。
【実施例】
【００１３】
以下に、本考案の実施例に係る飲料容器の蓋について各図面を参照して、詳細に説明する。
【００１４】
（実施例１）
図１乃至図５を参照して、本考案の実施例１に係る飲料容器３０の蓋１について説明する。
【００１５】
本考案の実施例１に係る飲料容器３０の蓋１は、例えば、ジュース類、茶類等の各種飲料を収容する飲料容器３０の開口部に例えばねじ込みにより着脱可能に装着され、上面の一端側に例えば楕円形状の飲料口３を設けた略円盤状の蓋体２と、この蓋体２に取り付けた前記飲料口３を閉塞、開口させるキャップ体２１とを有している。
【００１６】
前記蓋体２は、この蓋体２の外周部に、前記飲料口３とは反対側の端縁部２ａを除いて立設した前記飲料口３側が高く前記端縁部２ａ側が低い円形状の周壁部４と、前記蓋体２の上面に蓋体中央部が狭幅で、前記飲料口３側及び前記周壁部４を有しない端縁部２ａ側が広幅であり、蓋体中央部に関して対称形状の上面平面部５と、前記上面平面部５の両側に段差壁６ａ、６ａをもって画される前記上面平面部５を挟んで対称形状の一対の側部平面部６、６と、前記上面平面部５の蓋体中央部近傍位置で、かつ、前記飲料口３側に位置してこの上面平面部５の肉厚を貫通する状態に形成した空気穴７と、を有している。
【００１７】
前記端縁部２ａ側の段差壁６ａ、６ａの形状は、図１に示すように、端縁部２ａ側に至るほど段差寸法が徐々に小さくなる形状としている。
【００１８】
前記キャップ体２１は、前記上面平面部５中央の狭幅部においてその両側の段差壁６ａ、６ａに基端８ａ側を図１に示す矢印方向に回動可能に軸結合し、前記飲料口３を閉塞する突出寸法Ｈ１が大きい前記飲料口３に密着嵌合する略楕円体状の閉塞突部９を突出端８ｂに備えた略台形状で、かつ、周壁部４側を円弧状とした当接片部８と、前記当接片部８の突出端から略９０度曲折状態に形成され、飲料口３の閉塞時に前記飲料口３の外側の周壁部４に係合するとともに、前記端縁部２ａ側への回動時に前記端縁部２ａの外周に外壁１０ａが当接する係合凹部１１を備えた端部突片部１０と、この端部突片部１０の末端部に突設した開閉操作用の操作突片部１２と、を有している。
【００１９】
本実施例１に係る飲料容器３０の蓋１は、更に、前記キャップ体２１の閉塞突部９による飲料口３の閉塞時及び前記キャップ体２１の前記端縁部２ａ側への回動時に各々前記キャップ体２１を蓋体２の上面平面部５に係止する係止機構部１３を有している。
【００２０】
前記係止機構部１３は、前記蓋体の狭幅部よりも飲料口側の対向する段差壁６ａ、６ａ、及び、前記端縁部２ａ側の対向する段差壁６ａ、６ａに前記キャップ体２１の軸結合部から等距離で設けた一対ずつの係止凹部１４と、前記キャップ体２１の当接片部８の側壁両側に前記各係止凹部１４と対応配置に設けた一対の係止凸部１５とにより構成している。
【００２１】
なお、前記係止機構部１３としては、上述した場合と逆に、段差壁６ａ、６ａ側に係止凸部を、キャップ体２１の当接片部８の側壁両側に係止凹部を設ける構成とすることももちろん可能である。
【００２２】
次に、本実施例１に係る飲料容器３０の蓋１の作用を、飲料を収納した前記飲料容器３０に蓋１を装着した状態における前記キャップ体２１の開閉動作を主にして説明する。
【００２３】
本実施例１において、図１は前記キャップ体２１を蓋体２上で途中まで開けた状態を示し、図２はキャップ体２１を前記端縁部２ａ側へ完全に回動し係止機構部１３により係止した状態を示すものである。
【００２４】
また、図３乃至図５は、前記キャップ体２１を蓋体２上で前記飲料口３側に完全に閉じ前記キャップ体２１を係止機構部１３により係止するとともに、前記飲料口３の外側の周壁部４に係合凹部１１を係合させた状態を示すものである。
【００２５】
本実施例１に係る飲料容器３０の蓋１によれば、図２に示すように、前記キャップ体２１を前記端縁部２ａ側へ回動することにより、前記キャップ体２１の当接片部８に設けた一対の係止凸部１５が前記端縁部２ａ側の対向する段差壁６ａ、６ａに設けた一対の係止凹部１４に係合し、これにより、前記キャップ体２１を蓋体２上で飲料口３の開状態に係止することができ、飲料容器３０内の飲料を安定した状態で飲むことが可能になる。
【００２６】
他方、図３乃至図５に示すように、前記キャップ体２１を蓋体２上で前記飲料口３側に回動することにより、前記キャップ体２１の当接片部８に設けた一対の係止凸部１５が前記飲料口３側の対向する段差壁６ａ、６ａに設けた一対の係止凹部１４に係合し、かつ、前記閉塞突部９が前記飲料口３を閉塞し、加えて前記係合凹部１１が前記飲料口３の外側の周壁部４に係合する状態となり、これにより、前記飲料口３の閉塞状態を万全とすることができる。
【００２７】
また、前記キャップ体２１は、開閉操作用の操作突片部１２を備えているので、前記蓋体２上での開閉操作が極めて容易である。
【００２８】
このように、本実施例１に係る飲料容器３０の蓋１によれば、キャップ体２１を開き飲料口３を開口して飲料を流出可能とする場合、及び、キャップ体２１を飲料口３側に閉じ、飲料を流出停止状態とする場合の双方において、このキャップ体２１を蓋体２に対して容易に係止でき、かつ、飲料の流出停止状態における飲料口３の閉塞状態にも万全を期することができる。
【００２９】
（実施例２）
次に、図６、図７を参照して、本考案の実施例２に係る飲料容器３０の蓋１Ａについて説明する。なお、図６、図７に示す実施例２の蓋１Ａにおいて、実施例１の蓋１と同一要素には同一符号を付し、その詳細説明は省略する。
【００３０】
本実施例２の蓋１Ａは、基本的構成は実施例１の蓋１と同様であるが、前記当接片部８に設けた閉塞突部９の突出寸法Ｈ２を実施例１の場合の閉塞突部９の突出寸法Ｈ１よりも小寸法としたこと、及び、前記上面平面部５の両側における段差壁６ａ、６ａを前記端縁部２ａ側で前記周壁部４の末端に至るまで形成したことが特徴であり、この他の構成は上述した実施例１の蓋１の場合と同様である。
【００３１】
本実施例２に係る蓋１Ａの場合も、実施例１の蓋１と同様、前記キャップ体２１を開き飲料口３を開口して飲料を流出可能とする場合、及び、キャップ体２１を飲料口３側に閉じ、飲料を流出停止状態とする場合の双方において、このキャップ体２１を蓋体２に対して容易に係止でき、かつ、飲料の流出停止状態における飲料口３の閉塞状態にも万全を期することができる。
【００３２】
（実施例３）
次に、図８、図９を参照して、本考案の実施例３に係る飲料容器３０の蓋１Ｂについて説明する。なお、図８、図９に示す実施例３の蓋１Ｂにおいて、実施例１の蓋１と同一要素には同一符号を付し、その詳細説明は省略する。
【００３３】
本実施例３の蓋１Ｂは、基本的構成は実施例１の蓋１と同様であるが、前記キャップ体２１において、前記当接片部８に替えて、基端８ａ側を二股形状とするとともに、前記操作突片部１２を省略した当接片部８Ａを採用したこと、更に、前記前記飲料口３近傍の周壁部４の突出寸法及びこれに対応する係合凹部１１を備えた端部突片部１０の寸法を実施例１の蓋１の場合よりも大きくしたことが特徴であり、この他の構成は上述した実施例１の蓋１の場合と同様である。
【００３４】
本実施例３に係る蓋１Ａの場合も、実施例１の蓋１と同様、前記キャップ体２１を開き飲料口３を開口して飲料を流出可能とする場合、及び、キャップ体２１を飲料口３側に閉じ、飲料を流出停止状態とする場合の双方において、このキャップ体２１を蓋体２に対して容易に係止でき、かつ、飲料の流出停止状態における飲料口３の閉塞状態にも万全を期することができる。
【産業上の利用可能性】
【００３５】
本考案の飲料容器の蓋は、ジュース類、茶類等の飲料用の飲料容器に限らず、この蓋が装着可能な飲料容器であれば、酒類、清涼飲料等内部に収納する飲料の種類を問わず各種の飲料容器に対して広範に適用可能である。
【図面の簡単な説明】
【００３６】
【図１】本考案の実施例１に係る飲料容器の蓋を示す斜視図である。
【図２】本実施例１に係る飲料容器の蓋（開状態）を示す斜視図である。
【図３】本実施例１に係る飲料容器の蓋（閉状態）を示す斜視図である。
【図４】本実施例１に係る飲料容器の蓋（閉状態）を示す側面図である。
【図５】本実施例１に係る飲料容器の蓋（閉状態）を示す平面図である。
【図６】本考案の実施例２に係る飲料容器の蓋を示す斜視図である。
【図７】本実施例２に係る飲料容器の蓋（閉状態）を示す斜視図である。
【図８】本考案の実施例３に係る飲料容器の蓋（閉状態）を示す斜視図である。
【図９】本実施例３に係る飲料容器の蓋を示す側面図である。
【符号の説明】
【００３７】
１    蓋
１Ａ  蓋
１Ｂ  蓋
２    蓋体
２ａ  端縁部
３    飲料口
４    周壁部
５    上面平面部
６    側部平面部
６ａ  段差壁
７    空気穴
８    当接片部
８Ａ  当接片部
８ａ  基端
８ｂ  突出端
９    閉塞突部
１０    端部突片部
１０ａ  外壁
１１    係合凹部
１２    操作突片部
１３    係止機構部
１４    係止凹部
１５    係止凸部
２１    キャップ体
３０    飲料容器
【図１】
0003137403.tif 000003
【図２】
0003137403.tif 000004
【図３】
0003137403.tif 000005
【図４】
0003137403.tif 000006
【図５】
0003137403.tif 000007
【図６】
0003137403.tif 000008
【図７】
0003137403.tif 000009
【図８】
0003137403.tif 000010
【図９】
0003137403.tif 000011